(57)【要約】【課題】  コンテンツ再生装置が取得したコンテンツ関連情報が、コンテンツ再生装置が記録するコンテンツのものであるかどうかを識別し、識別結果に応じて機能動作や画面操作を変更する。【解決手段】コンテンツ再生装置にコンテンツの評価結果などのコンテンツ関連情報を取得するコンテンツ関連情報取得部、該コンテンツ再生装置が記録あるいは受信するコンテンツまたはライセンス情報などのコンテンツ管理情報を管理するコンテンツ管理部、前記コンテンツ関連情報取得部が取得するコンテンツ関連情報の処理方法を該コンテンツ管理部のもつコンテンツ管理情報に応じて区別するコンテンツ制御部を設けた。【選択図】  図１
2010206809.tif 000002
【特許請求の範囲】
【請求項１】
コンテンツを記憶する記憶部と、
コンテンツに関する情報を受信する受信部と、
該受信部により受信された該コンテンツに関する情報の中から該記憶部により記憶されたコンテンツに対応したコンテンツに関する情報を取得するコンテンツ関連情報取得部と、
該コンテンツ関連情報取得部により取得された該コンテンツに関する情報に応じた制御を行う制御部とを備えることを特徴とする情報処理装置。
【発明の詳細な説明】
【技術分野】
【０００１】
本発明は、情報を処理する情報処理装置に関するものであり、特に、受信あるいは記録した情報の内容（コンテンツ）を再生する情報処理装置に関するものである。
【背景技術】
【０００２】
番組等のコンテンツを再生する装置（コンテンツ再生装置）とサーバがネットワークを介して接続されているシステムにおいて、ネットワークに接続されたサーバがコンテンツ関連情報を配信し、コンテンツ再生装置で該コンテンツ関連情報を利用するシステムが実用に供されている。
【０００３】
また、コンテンツ再生装置に保持されているコンテンツの情報をサーバに提供し、コンテンツ再生装置が保持するコンテンツに関連するコンテンツ関連情報をサーバから取得するシステムが、特開２００４−６２８１２号公報に提示されている。
【先行技術文献】
【特許文献】
【０００４】
【特許文献１】特開２００４−６２８１２号公報
【発明の概要】
【発明が解決しようとする課題】
【０００５】
しかし上記従来のシステムでは、コンテンツ再生装置でのコンテンツ関連情報の利用に関して、選択コンテンツ再生装置が保持しているコンテンツと保持していないコンテンツを識別し、提供する機能や操作画面の内容に識別結果を反映することに関しては一切考慮されておらず、ユーザの使い勝手を満足するものではなかった。
【０００６】
また、上記特許文献１に開示されたシステムにおいては、取得したコンテンツ関連情報に含まれる特定のコンテンツに関連するコンテンツ関連情報の選択処理に関しては一切考慮されておらず、サーバが配信したコンテンツ関連情報をコンテンツ再生装置でコンテンツ再生装置に保持されているコンテンツと保持されていないコンテンツとを識別してそれぞれの場合において提供する機能や操作画面の内容に反映することに関しては配慮されておらず、ユーザの使い勝手を満足するものではなかった。また、上記特許文献１においては、コンテンツ再生装置に保持されているコンテンツの情報をサーバに提供することが前提となっているため、ユーザ個人の保有するデータの種類をサーバ側に知られることになるのでプライバシーの問題に関する検討が不十分であった。また、サーバにユーザの情報が提供されるために、サーバの負荷が大きくなるという課題もあった。
【０００７】
上記課題の要点を換言すると、例えばコンテンツ再生装置等の情報処理装置が取得したコンテンツに関連する情報がコンテンツ再生装置が保持するコンテンツのものであるかどうかにかかわらず一律な機能動作や画面操作しか実現できないという点にあると言える。
【０００８】
そこで、上記課題を踏まえて、本発明は、コンテンツ再生装置等の情報処理装置の使い勝手の向上を図ることを目的とする。
【課題を解決するための手段】
【０００９】
上記課題を解決するために、本発明では、例えば、コンテンツを記憶する記憶部と、
コンテンツに関する情報を受信する受信部と、該受信部により受信された該コンテンツに関する情報の中から該記憶部により記憶されたコンテンツに対応したコンテンツに関する情報を取得するコンテンツ関連情報取得部と、該コンテンツ関連情報取得部により取得された該コンテンツに関する情報を出力するように制御する制御部とを備えるように構成すればよい。
【発明の効果】
【００１０】
本発明によれば、コンテンツ再生装置等の情報処理装置の使い勝手の向上を図ることができる。
【図面の簡単な説明】
【００１１】
【図１】第１の実施例におけるコンテンツ再生装置の構成を示す図である。
【図２】第１の実施例におけるコンテンツ管理情報の構成を示す図である。
【図３】第１の実施例におけるコンテンツ関連情報の構成を示す図である。
【図４】第１の実施例におけるコンテンツ制御部の処理を示すフローチャートである。
【図５】第１の実施例におけるコンテンツ選択情報の構成を示す図である。
【図６】第２の実施例におけるコンテンツ選択情報の構成を示す図である。
【図７】第３の実施例におけるコンテンツ制御部の処理を示すフローチャートである。
【図８】第３の実施例におけるコンテンツ選択情報の構成を示す図である。
【図９】第４の実施例におけるコンテンツ制御部の処理を示すフローチャートである。
【図１０】第４の実施例におけるコンテンツ選択情報の構成を示す図である。
【図１１】第５の実施例におけるコンテンツ再生装置の構成を示す図である。
【図１２】第５の実施例におけるコンテンツ関連情報の構成を示す図である。
【発明を実施するための形態】
【００１２】
以下に、本発明の実施の形態を説明する。
【実施例１】
【００１３】
以下、本発明の実施例を図１〜図５を用いて説明する。以下、図面において同一符号や記号は同一の構成を示す。図１は、本実施例の情報処理装置の構成を示す図である。なお、本実施例では、情報処理装置の一例としてコンテンツ再生装置１０１について述べる。また、以下の実施例において、コンテンツとは、情報の内容という意味であり、例えば、動画、静止画、テキスト、オーディオ、放送される番組又は映画、ＣＧ（コンピュータグラフィック）等の映像及び、又は音声データを示す。
【００１４】
図１において、１０２は装置全体の制御をおこなうＣＰＵ、１０３はＣＰＵが処理するプログラムやデータなどの情報を記憶するＲＯＭ・ＲＡＭなどのメモリ、１０４はコンテンツなどを記憶可能なハードディスクなどの記憶部、１０５はユーザの操作入力などを受けるリモコンなどの入力部、１０６は動画・静止画・操作画面などの画面情報の表示を制御し、液晶ディスプレイなどの図示していない表示装置に画面情報を表示する表示部、１０７はネットワークを介して他の装置とのデータ通信を制御するイーサーネットコントローラ・プロトコルスタックなどの通信部、１０８はコンテンツに対する再生・録画・削除・コンテンツ選択などの機能を制御するコンテンツ制御部、１０９は通信部１０７や記憶部１０４・放送受信部１１３から取得したコンテンツを再生するコンテンツ再生部、１１０は放送受信部１１３、通信部１０７や入力部１０５を介してコンテンツ関連情報を取得するコンテンツ関連情報取得部、１１１は自再生装置が保持あるいは利用する権利をもつコンテンツを管理するコンテンツ管理部、１１２は通信部１０７が他のコンテンツ再生装置やコンテンツサーバなどと通信をおこなう通信路、１１３はコンテンツを放送電波などから取得する放送受信部である。ここで、コンテンツ関連情報とは、少なくとも１つ以上のコンテンツに関する情報で、例えば該コンテンツを補足するコンテンツの評価情報、コンテンツの背景情報、コンテンツ作成に関連する情報、コンテンツ内容に関する補足情報等の情報である。
【００１５】
図２は、コンテンツ再生装置が管理するコンテンツ管理情報の構成を示す図である。図２のコンテンツ管理情報テーブルにおいて、２０２はコンテンツの記憶部上の記録位置などへの参照をしめすコンテンツ管理番号、２０３はコンテンツのタイトルとＩＤ情報、２０４はコンテンツの再生時間を示す再生情報、２０５はコンテンツの取得日時、録画の有無などの付属情報である。ここでコンテンツ管理情報とは、例えば前述のコンテンツ管理番号、タイトル、ID情報、再生情報、取得日時、付属情報等のうち少なくとも１つを含む情報である。
【００１６】
図３は、コンテンツ再生装置が取得するコンテンツ関連情報の構成を示す図である。図３のコンテンツ関連情報において、３０２はコンテンツ関連情報管理用の管理番号、３０３は該当するコンテンツのタイトルとＩＤ、３０４は関連情報の一例であるコンテンツの評価情報、３０５は他の関連情報の一例であるお奨めシーン情報である。ここで、お奨めシーン情報とは、例えばコンテンツのなかで特にはポイントとなる少なくとも１つ以上のコンテンツ部分に関する情報である。
【００１７】
図５は、本実施例の機能動作あるいは画面操作のための画面例を示す図である。この表示画面は、コンテンツ関連情報に基づいてコンテンツ制御部１０８により生成される。
【００１８】
図５のコンテンツ操作画面の表示内容の例であるコンテンツ選択情報は、コンテンツ関連情報３０１をコンテンツ制御部１０８の処理（図４参照）に従って、コンテンツ管理情報２０１に応じて変更した結果を示す情報である。図５において、５０２はコンテンツ管理情報であるコンテンツ管理番号、５０３はコンテンツのタイトルとＩＤ、５０４は再生時間を示す再生情報、５０５はコンテンツ関連情報である評価値である。ここで、評価値とは、例えばコンテンツに対する人気の度合い等を数値化した情報等である。
【００１９】
以下、本実施例の動作を説明する。図１のコンテンツ再生装置１０１は、ユーザの指示に応じてコンテンツの取得・記録・再生などをおこなう装置である。例えばユーザが指定したコンテンツを取得・記録し、次に記録したコンテンツを再生する処理は、以下のように実行する。
【００２０】
コンテンツ再生装置１０１は、コンテンツ制御部１０８の制御により、ユーザが選択したコンテンツを放送受信部１１３を介して取得し、コンテンツ管理部１１１の管理によって記憶部１０４に記録する。記録したコンテンツは、コンテンツ制御部１０８の制御によって、ユーザ選択が可能な図示していない操作画面上に表示する。ユーザが選択指示をしたコンテンツは、コンテンツ制御部１０８及びコンテンツ管理部１１１で記憶部１０４から取得し、コンテンツ再生部１０９で表示部１０６を用いて再生する。
【００２１】
次に、この動作の詳細を説明する。放送受信部１１３が取得した視聴可能なコンテンツのリストからタイトル「映画F」であるコンテンツの取得をユーザが指示した場合、コンテンツ制御部１０８は放送開始時間に放送受信部１１３を用いて指定されたコンテンツの取得を開始し、これをコンテンツ管理部１１１の管理の元、記憶部１０４に記録する。コンテンツ管理部１１１は、該コンテンツの受信・記録とほぼ同時にコンテンツ管理情報２０１を更新し、コンテンツ「映画F」の情報を追記する。具体的には、例えば、該コンテンツを記録した記憶部上の場所を特定するためのコンテンツ管理番号、コンテンツのタイトルとコンテンツを一意に識別可能なＩＤ、コンテンツの再生時間などの情報を、コンテンツ管理情報として記録する。さらに付属情報として、例えば、記録開始日時、記憶部１０４上のコンテンツの有無などをコンテンツ管理情報テーブルに追記する。
【００２２】
図２の付属情報２０５の例では、（１）記録年月日と日時、自装置内の録画されたコンテンツの有無（Ｒ＝ｙ／ｎあるいは記録シーン｛記録開始時刻−記録終了時刻｝）、（２）同一番組のシリーズ番号（Ｓ＝ｎｎ）、（３）利用ライセンス取得コンテンツに関するライセンスの有効期間などの情報をコンテンツの付属情報として記録する。コンテンツ制御部１０８は、記録されたコンテンツ「映画F」を図示していないコンテンツ一覧情報に追加して操作画面を生成し、表示部１０５を用いて表示する。さらにコンテンツ制御部１０８は、入力部１０５を用いてコンテンツ「映画F」を含む所望のコンテンツのユーザ選択機能を提供する。ユーザがコンテンツ「映画F」の再生を選択した場合、コンテンツ制御機能１０８はコンテンツ再生部１０９を用いてコンテンツ「映画Ｆ」を再生する。以上一連のステップにより、放送されたコンテンツを受信・記録し、ユーザの指示に応じて該コンテンツを再生可能なコンテンツ再生装置が構成される。このようなコンテンツ再生装置において、本実施例のコンテンツ関連情報取得部１１０は、通信部１０７を用いてコンテンツ関連情報を取得する。
【００２３】
以下、図３に示したコンテンツ関連情報を用いて説明をおこなう。コンテンツ関連情報には、コンテンツを一意に特定できるＩＤ情報３０４とコンテンツに関する情報が含まれる。図３の例では、コンテンツに関する情報の例として、各コンテンツの評価情報が評価値３０４として含まれる。さらにコンテンツ関連情報としては、例えばコンテンツ関連情報の提供者が管理のために使用する管理番号３０２、コンテンツのタイトル、コンテンツの付属情報３０５などがある。図３において、付属情報３０５としてはコンテンツ毎のお奨めシーン情報がお奨めシーンの開始時間と終了時間の形式で提供される（ｒｃｍｄ＝｛開始時間−終了時間｝）。コンテンツ関連情報は、例えば、通信部１０７を介し接続されているコンテンツ関連情報を提供可能なサーバから提供される。
【００２４】
以下、図４のフローチャートを用いて本実施例のコンテンツ制御部１０８における前記コンテンツ関連情報の処理を説明する。ここでは、取得したコンテンツ関連情報を、再生するコンテンツをユーザが選択する際の再生可能なコンテンツの一覧情報である再生コンテンツ選択情報生成時に適用し、再生コンテンツ選択機能を使用する時の操作画面への適用動作を例として、コンテンツ制御部の動作を説明する。本実施例では、（１）コンテンツ関連情報のコンテンツ評価値が特定の値以上であり、かつ（２）該当コンテンツが自コンテンツ再生装置に記録されているものをコンテンツ制御部で取得し、再生コンテンツ選択時の推奨コンテンツとして識別表示する。
【００２５】
図４の処理４０１において、コンテンツ管理部１１１から図２に示したコンテンツ管理情報を取得する。処理４０２において、コンテンツ関連情報取得部１１０から図３に示したコンテンツ関連情報を取得する。処理４０３において、コンテンツ管理情報で自コンテンツ再生装置内に記憶しているコンテンツであり、かつコンテンツ管理情報に登録されているコンテンツＩＤがコンテンツ関連情報に含まれるもので、かつコンテンツの評価値が一定値（本実施例では５）以上のコンテンツを取得する。処理４０３の結果を図５に示す。
【００２６】
図５は、コンテンツ選択情報を示す図であり、コンテンツ制御部１０８により生成される再生コンテンツの一覧情報を示した図である。５０２の管理情報は条件に該当するものに関してコンテンツ管理情報テーブルのコンテンツ管理番号２０２を登録する。５０３のコンテンツおよびＩＤ情報は、コンテンツ管理情報テーブルのコンテンツおよびＩＤ情報２０３を登録する。５０４の再生情報は、コンテンツ管理情報テーブルの再生時間２０４を登録する。５０５の評価値はコンテンツ関連情報の評価値３０４を登録する。
【００２７】
処理４０４で、処理４０３で取得したコンテンツの一覧を推奨番組として表示部１０６に表示する。処理４０５で入力部１０５を用いたユーザ入力による番組選択をおこない、処理４０６でユーザ選択コンテンツがある場合には、処理４０７で指定されたコンテンツを再生コンテンツとし、コンテンツ再生部１０９及びコンテンツ管理部１１１と連携したコンテンツの再生処理を行う。
【００２８】
以上本実施例によれば、コンテンツ関連情報を利用したコンテンツ再生装置の提供機能の少なくとも一部や操作画面の少なくとも一部をコンテンツ再生装置が保持しているコンテンツと保持していないコンテンツで識別又は変更可能とする情報処理装置を提供することができる。
【００２９】
また、本実施例によれば、自コンテンツ再生装置に記憶してあるコンテンツの再生時に、ネットワーク上の他のサーバやコンテンツ再生装置などから取得したコンテンツ関連情報であるコンテンツの評価値に基づいて再生コンテンツの選択が可能となり、ユーザの使い勝手が向上する。
【００３０】
さらに、多数のコンテンツを保持可能なコンテンツ再生装置又は他のコンテンツ再生装置にコンテンツを配信可能なコンテンツサーバにおいては、記録可能なコンテンツ数の増大により保持されたコンテンツの把握が煩雑となる傾向にあるため、本実施例のようにコンテンツの有無に応じた提供機能やコンテンツの有無に応じたコンテンツ関連情報の操作画面は使い勝手を向上する上で非常に有効である。
【実施例２】
【００３１】
次に、図６を用いて第２の実施例を説明する。本実施例は、コンテンツ制御部１０８の処理において、コンテンツ管理情報テーブルに登録されてないコンテンツに関しても、識別可能な方法で推奨番組をコンテンツ一覧に含めて操作画面上で利用する例を示すものである。
【００３２】
コンテンツ制御部１０８は、図４の処理と類似の動作をおこなう。相違点としては、処理４０３の代わりに該当コンテンツが図２のコンテンツ管理情報テーブルで自コンテンツ再生装置内に記録されたコンテンツではないと分類されているコンテンツに関しても、これをコンテンツ選択情報として識別しながら登録する処理をもつことである。
【００３３】
本実施例のコンテンツ制御部１０８の動作例を図６に示す。コンテンツタイトルで「映画Ｄ」、「映画Ｅ」に関しては、コンテンツ関連情報の評価値が規定以上（５以上）であり、コンテンツ制御部１０８の該当する判定条件を満足するが、該当コンテンツが自コンテンツ再生装置に記録されていないため、図４の実施例ではコンテンツ一覧に含まなかったものであるが、本実施例のコンテンツ制御装置１０８の動作手順では自コンテンツ再生装置でのコンテンツ記録の有無を識別の上、コンテンツ一覧に含める。
【００３４】
なお、本実施例において、コンテンツ再生装置、コンテンツ管理情報テーブル、コンテンツ関連情報の構成はそれぞれ図１，２，３と同様の構成である。さらにコンテンツ制御部１０８の処理手順の先に述べた処理４０３を除いて、図４と同様の構成である。
【００３５】
以上本実施例によれば、コンテンツ関連情報のうちコンテンツ管理情報に自コンテンツ再生装置に記録済みのコンテンツと登録されていないコンテンツに関しても、これをコンテンツ制御部で利用可能となり、ユーザに提示するコンテンツ関連情報に基づいた提供機能や操作画面の選択範囲が拡大可能であり、使い勝手が向上する。
【００３６】
なお本実施例においては、自コンテンツ再生装置に記録されていないコンテンツを更に再生ライセンスをもつコンテンツと再生ライセンスを持たないコンテンツに識別する構成ではないが、同様の方式により更にライセンスの有無を識別可能な構成で提供機能や操作画面を実現することも可能であり、自コンテンツ再生装置に記録されていないコンテンツの識別方法は特にこれを限定しない。
【００３７】
また本実施例では、コンテンツ関連情報をコンテンツ管理情報に基づいて識別利用する構成を示したが、コンテンツ管理情報をコンテンツ関連情報に基づいて識別利用する構成も可能であり、コンテンツ制御部におけるコンテンツ関連情報の利用方法に関しては特にこれを限定しない。
【実施例３】
【００３８】
次に、図７，８を用いて第３の実施例を説明する。本実施例は、先の実施例と同様の構成をもつコンテンツ再生装置において、コンテンツ単位のコンテンツ関連情報の利用に加えて、シーン単位のコンテンツ関連情報の利用をおこなうコンテンツ制御部の動作を示す例である。
【００３９】
図７は、本実施例のコンテンツ制御部１０８の動作を示すフローチャート図であり、図８は、本実施例のコンテンツ制御部１０８の処理結果であるコンテンツ選択情報の構成を示す図である。
【００４０】
以下本実施例の動作を、図７を用いて説明する。処理７０１において、コンテンツ管理部１１１から図２に示したコンテンツ管理情報を取得する。処理７０２において、コンテンツ関連情報取得部１１０から図３に示したコンテンツ関連情報を取得する。処理７０３において、（１）コンテンツ管理情報で自コンテンツ再生装置内に記憶しているコンテンツであり、かつ（２）コンテンツ管理情報に登録されているコンテンツＩＤがコンテンツ関連情報に含まれるもので、かつ（３）コンテンツの評価値が一定値（本実施例では５）以上のコンテンツを取得する。処理７０４において、処理７０３で取得したコンテンツの一覧を推奨番組または推奨シーンとして表示部１０６に表示する。処理７０５において、入力部１０５を用いたユーザ入力による番組選択をおこない、処理７０６でユーザ選択コンテンツがある場合には、処理７０７で指定されたコンテンツを再生コンテンツとし、コンテンツ再生部１０９・コンテンツ管理部１１１と連携したコンテンツの再生処理をおこなう。
【００４１】
以下、処理７０４の動作結果を図８に示す。８０２の管理情報は条件に該当するものに関してコンテンツ管理情報テーブルのコンテンツ管理番号２０２を登録する。８０３のコンテンツおよびＩＤ情報は、コンテンツ管理情報テーブルのコンテンツおよびＩＤ情報２０３を登録する。８０４の再生情報は、コンテンツ管理情報テーブルの再生時間２０４を登録する。８０５の評価値は、コンテンツ制御部１０８の処理の一部である処理７０４によって、コンテンツ関連情報の評価値３０４を登録される。
【００４２】
さらに本実施例では、８０６でコンテンツ関連情報の付属情報３０５にお奨めシーン情報（ｒｃｍｄ＝｛シーン開始事項−シーン終了時刻｝）がある場合には、コンテンツ管理情報の対応する付属情報２０５の記録シーン情報を参照し、記録されたシーンを推奨シーンとしてコンテンツ制御装置で利用する。
【００４３】
例えば、コンテンツのタイトルで「ドラマＢ」はコンテンツ管理情報に登録があるコンテンツであり、再生候補のコンテンツ一覧の条件に合致するが、さらに図３のコンテンツ関連情報の付加情報３０５で推奨シーン情報（ｒｃｍｄ＝｛００：１６：００−００：１８：３０、００：３２：００−００：３９：００｝）をもつ。このため、図２のコンテンツ管理情報テーブルの同一タイトルコンテンツの付加情報から記録シーンに関する情報（Ｒ＝｛００：３０：００−００：４９：５９｝）を取得し、このなかからコンテンツ関連情報のお奨めシーンに該等する部分をコンテンツ選択情報の推奨シーン８０６とする。なお、コンテンツ管理情報に推奨シーン情報をもたないコンテンツに関しては、先の実施例と同様にコンテンツ単位での推奨情報を利用する構成も可能である。
【００４４】
なお、本実施例において、コンテンツ再生装置、コンテンツ管理情報テーブル、コンテンツ関連情報の構成はそれぞれ図１，２，３と同様の構成である。
【００４５】
本実施例によれば、番組単位での推奨コンテンツの選択再生に加えて、シーン単位の推奨情報あるいはコンテンツ管理情報がある場合には、これを利用したシーン単位での推奨コンテンツの選択再生が可能となり、使い勝手が向上する。
【実施例４】
【００４６】
次に、図９、１０を用いて第４の実施例を説明する。本実施例は、コンテンツを再生する権利（再生ラインセンス）のみをもち、コンテンツ自体をもたないコンテンツに対するコンテンツ関連情報の適用が可能なコンテンツ制御部の例を示すものである。
【００４７】
図９は、本実施例のコンテンツ制御部１０８の動作手順を示すフローチャート図であり、図１０は、本実施例のコンテンツ制御部が生成するコンテンツ選択情報の例を示す図である。
【００４８】
以下、本実施例の動作を図９を用いて説明する。処理９０１において、コンテンツ管理部１１１から図２に示したコンテンツ管理情報を取得する。処理９０２において、コンテンツ関連情報取得部１１０から図３に示したコンテンツ関連情報を取得する。処理９０３において、（１）コンテンツ管理情報で自コンテンツ再生装置内に記憶しているコンテンツあるいは再生ライセンスをもつコンテンツであり、かつ（２）コンテンツ管理情報に登録されているコンテンツＩＤがコンテンツ関連情報に含まれるもので、かつ（３）コンテンツの評価値が一定値（本実施例では５）以上のコンテンツを取得する。処理９０４において、処理９０３で取得したコンテンツの一覧を推奨番組または推奨シーンとして表示部１０６に表示する。処理９０５で入力部１０５を用いたユーザ入力によるシーン選択・番組選択をおこない、処理９０６において、ユーザ選択コンテンツがある場合には、処理９０７において、指定されたコンテンツを再生コンテンツとし、コンテンツ再生部１０９・コンテンツ管理部１１１と連携したコンテンツの再生処理をおこなう。
【００４９】
以下、処理９０４の動作結果を図１０に示す。１００２の管理情報は、条件に該当するコンテンツに関してコンテンツ管理情報テーブルのコンテンツ管理番号２０２を登録する。１００２の管理情報は、コンテンツ制御部１０８の一処理である処理９０４によって、条件に該当するコンテンツに関してコンテンツ管理情報テーブルのコンテンツ管理番号２０２を登録される。１００３のコンテンツおよびＩＤ情報は、コンテンツ制御部１０８の一処理である処理９０４によって、コンテンツ管理情報テーブルのコンテンツおよびＩＤ情報２０３を登録される。１００４の再生情報は、コンテンツ制御部１０８の一処理である処理９０４によって、コンテンツ管理情報テーブルの再生時間２０４を登録される。１００５の評価値は、コンテンツ関連情報の評価値３０４として登録される。
【００５０】
１００６の推奨シーンは、コンテンツ管理情報２０１とコンテンツ関連情報３０１の両方にシーン情報がある場合には、コンテンツ管理情報２０１にあるシーン情報の時間範囲のなかでコンテンツ関連情報３０１の付属情報３０５に推奨シーン（ｒｃｍｄ）として指定されているものを処理９０４で記載する。例えば、コンテンツのタイトルが「ドラマＢ（ＩＤ３）」であるコンテンツの記録シーンはコンテンツ管理情報２０１からＲ＝｛００：３０：００−００：４９：５９｝であり、一方推奨シーンはコンテンツ関連情報３０１よりｒｃｍｄ＝｛００：１６：００−００：１８：３０、００：３２：００−００：３９：００｝となる。両方の時間情報を満足する時間範囲は｛００：３２：００−００：３９：００｝となり、これをコンテンツ選択情報１００１の推奨シーン１００６に登録する。
【００５１】
以上本実施例によれば、コンテンツ再生装置に記録されたコンテンツをもたない場合においても、コンテンツの再生ライセンス情報に応じてコンテンツ関連情報の適用が可能となる。これにより、例えばユーザに再生可能なコンテンツのなかからコンテンツ関連情報に基づいた推奨コンテンツを提示するコンテンツ再生装置の機能において、再生ライセンスのみをもち、コンテンツ自体は記録していないコンテンツも推奨コンテンツとして含めることが可能となり、使い勝手が向上する。さらに、コンテンツ単位の推奨に加え、シーン単位での推奨も可能となり、よりきめ細かい番組推奨機能を実現可能となる。
【００５２】
なお、本実施例において、コンテンツ再生装置、コンテンツ管理情報テーブル、コンテンツ関連情報の構成はそれぞれ図１，２，３と同様の構成である。さらにコンテンツ制御部１０８の処理手順は先に述べた処理４０３を除いて、図４と同様の構成である。
【実施例５】
【００５３】
次に、図１１・１２を用いて第５の実施例について説明する。図１１は、本実施例のコンテンツ再生装置の構成を示す図であり、図１２は、コンテンツ関連情報の構成を示す図である。
【００５４】
図１１において、１１０２は他のコンテンツ再生装置やルーティング装置１１０９に接続可能な通信部、１１０３はコンテンツ制御部、１１０４はコンテンツ再生部、１１０５はコンテンツ関連情報取得部、１１０６はコンテンツ管理部、１１０７はｈｔｍｌファイルのレンダリングとナビゲーションが可能なブラウジング部、１１０９はコンテンツ再生装置が接続されているネットワークとインターネットなど外部のネッワークを相互接続するルーティング装置である。
【００５５】
図１２において、１２０１は本実施例のコンテンツ関連情報、１２０２はブラウジング部１１０７が利用可能なコンテンツ利用情報、１２０３はコンテンツ関連情報取得部１１０５、コンテンツ制御部１１０３が利用可能なコンテンツＩＤ情報である。図１２のコンテンツID情報１２０３には、図示したタイトル１２０４などコンテンツ利用情報１２０２に関連するコンテンツに関する情報が保持される。
【００５６】
本実施例においては、コンテンツ利用情報に現れるコンテンツタイトルと各タイトルに対応するコンテンツＩＤをコンテンツＩＤ情報とする。コンテンツＩＤ情報１２０３において、１２０４は各コンテンツのタイトル、１２０５はコンテンツを一意に識別可能なＩＤ情報、１２０６はコンテンツに関連する付属情報である。
【００５７】
以下本実施例の動作を、図１１を用いて説明する。図１１のコンテンツ関連情報取得部１１０５は、ブラウジング部と連携してルーティング装置１１０９経由でアクセス可能なインターネットなどの外部ネットワーク１１１０に接続されている情報処理装置からコンテンツ関連情報を取得する。本実施例では前記情報処理装置の例として、コンテンツ再生装置１１０１のブラウジング部１１０７で選択・取得可能なｈｔｍｌ形式のコンテンツ関連情報を提供可能なｈｔｔｐサーバを想定する。
【００５８】
ブラウジング部１１０７は、ユーザによって指定されたコンテンツ関連情報を該当するコンテンツ関連情報をもつｈｔｔｐサーバから取得する。コンテンツ関連情報取得部１１０５は、ブラウジング部１１０７と連携し、コンテンツ関連情報に含まれるコンテンツＩＤ情報を取得する。コンテンツＩＤ情報は、コンテンツ制御部１１０３でコンテンツ管理情報２０１と比較をおこない、コンテンツ管理情報２０１に該当するコンテンツタイトル「映画Ｆ」をユーザがブラウジング部を用いて選択可能なようにコンテンツ関連情報１２０１のｈｔｍｌファイルを変更する。ここで、選択可能とするｈｔｍｌファイルの変更とは、例えばコンテンツ利用情報の「映画Ｆ」の部分にリンク情報を付加し、「映画Ｆ」が選択された場合にブラウジング部１１０７とコンテンツ再生装置１１０４が連携して、選択された「映画Ｆ」の再生を行うこと等を意味する。コンテンツ制御部１１０３は、前記変更したコンテンツ関連情報１２０１のｈｔｍｌファイルはブラウジング部１１０７に提供する。
【００５９】
ブラウジング部１１０７が取得したコンテンツ関連情報１２０１に含まれるコンテンツ利用情報は、ブラウザ装置で所定のフォーマットにレイアウト・レンダリングした後、表示部１０６で表示する。ユーザはブラウジング部１１０７が提供するコンテンツ管理情報の閲覧および、表示情報中の「映画Ｆ」選択を表示部１０６を介して可能となる。ユーザが「映画Ｆ」を選択した場合、ブラウジング部１１０７はコンテンツ再生部１１０４と連携して「映画Ｆ」をユーザが選択した場合、該当するコンテンツ「映画Ｆ」の再生を行う。
【００６０】
以上本実施例によれば、インターネットなど外部のネットワークに接続されているコンテンツ再生装置や他の情報処理装置、サーバなどからコンテンツ関連情報を取得可能となり、コンテンツ関連情報の取得範囲の拡大が可能となる。
【００６１】
さらに、取得するコンテンツの種類に関しては、コンテンツ再生装置に特化して用意されているコンテンツ関連情報に加えて、汎用のｈｔｔｐサーバ、メールサーバやチャットサーバなどのインターネット上のサーバが、汎用のウェブブラウザ、メーラやチャットクライアントなどのインターネットサービス向けのクライアントアプリケーションを対象として提供する情報を利用する構成も可能であり、利用可能なコンテンツ関連情報の種類が拡大され、更に使い勝手が向上する。
【００６２】
なお、本実施例において、コンテンツ再生装置、コンテンツ管理情報テーブル、コンテンツ関連情報の構成はそれぞれ図１，２，３と同様の構成である。さらにコンテンツ制御部１０８の処理手順の先に述べた処理４０３を除いて、図４と同様の構成である。
【００６３】
なお、本実施例ではコンテンツ関連情報としてｈｔｍｌファイルを想定したが、コンテンツ関連情報の形式は特にこれを限定しない。さらに、本実施例ではネットワーク１１１０上にｈｔｔｐサーバがあり、該ｈｔｔｐサーバがコンテンツ関連情報をコンテンツ再生装置に提供する構成としたが、コンテンツ関連情報を適用する情報処理装置の構成は特にこれを限定しない。例えば、インターネット上で接続されたメールサーバ、チャットサーバなど他の情報処理装置を利用してコンテンツ関連情報を取得する構成も可能である。これにより、コンテンツ関連情報の取得対象範囲の拡大が可能となり、使い勝手が向上する。
【００６４】
また本実施例においては、コンテンツ関連情報としてｈｔｍｌファイルのなかにコンテンツＩＤ情報を別に持つ構成としたが、コンテンツ関連情報の形式は特にこれを限定しない。例えば、コンテンツ再生装置がメールサーバから取得可能な、通常のテキスト形式のメールにコンテンツ関連情報を記述し、これをコンテンツ再生装置で受信・利用する構成も可能である。これによりコンテンツ関連情報に関する書式の自由度か向上可能となり、使い勝手が向上する。
【００６５】
なお、以上の実施例１〜５では、図１に示したようにコンテンツ制御部、コンテンツ再生部、コンテンツ関連情報取得部、コンテンツ管理部をコンテンツ再生装置内にある独立した機能として定義したが、これら機能の一部あるいはすべてをＣＰＵ上で実行するプログラムの形式で構成することも可能であり、これら機能の実装方法は特にこれを限定しない。これにより、これら機能の実装がハードウェア、ソフトウェアあるいはその混成構成で実現可能となり、より広い範囲の機器構成にこれら機能を搭載可能となり、使い勝手が向上する。
【００６６】
また以上の実施例では、コンテンツを放送受信部から取得する構成としたが、通信部あるいは入力部を介してコンテンツを取得する構成も可能であり、コンテンツの取得方法は特にこれを放送受信部に限定するものではない。これにより、コンテンツの取得手段を選択あるいは、拡大可能となり使い勝手が向上する。
【００６７】
また以上の実施例ではコンテンツ関連情報を、通信部を介してネットワークから取得する構成としたが、放送受信部あるいは入力部を介してコンテンツ関連情報を取得する構成も可能であり、コンテンツ関連情報の取得方法は特にこれを通信部に限定するものではない。これにより、コンテンツ関連情報の取得手段を選択あるいは、拡大可能となり使い勝手が向上する。
【００６８】
また以上の実施例では、コンテンツ関連情報の取得方法に関しては特に詳細を規定していないが、ユーザの取得指示あるいはプログラムの取得状態発生等の特定条件の発生時にコンテンツを特定の場所から取得する構成や、コンテンツ取得時などに放送あるいはネットワークを介してコンテンツ関連情報を送付する構成等があり、コンテンツ関連情報の取得方法に関しては特にこれを限定しない。これにより、コンテンツ関連情報の取得方法や取得時期に関して柔軟にこれを選択・設定可能となり使い勝手が向上する。
【００６９】
また以上の実施例においては、コンテンツ制御部が取得したコンテンツ関連情報をユーザの再生コンテンツ選択機能利用時の操作画面に適用する構成を示したが、コンテンツ再生装置が提供するコンテンツ録画機能、コンテンツ削除機能など他の機能の操作画面への適用や、コンテンツ再生装置が提供する機能の動作変更に利用することも可能であり、取得したコンテンツ関連情報をコンテンツに応じて機能動作や操作画面に適用する際の適用箇所・適用方法に関しては特にこれを限定しない。例えば、コンテンツ削除機能が削除候補となるコンテンツの一覧を表示する操作画面において、コンテンツ管理情報にある自コンテンツ再生装置が記録するコンテンツの中から、コンテンツ関連情報での評価値が低いコンテンツを削除候補として操作画面で提示、あるいは自動削除の対象とする削除機能などが可能である。これにより、ユーザの使い勝手が向上する。
【００７０】
なお、上述の実施例は少なくとも下記を開示している。
（１）
コンテンツを記憶する記憶部と、
コンテンツに関する情報を受信する受信部と、
該受信部により受信された該コンテンツに関する情報の中から該記憶部によ記憶されたコンテンツに対応したコンテンツに関する情報を取得するコンテンツ関連情報取得部と、
該コンテンツ関連情報取得部により取得された該コンテンツに関する情報に応じた制御を行う制御部とを備えることを特徴とする情報処理装置。
（２）
（１）記載の情報処理装置において、
前記記憶部により記憶された前記コンテンツをコンテンツ単位ごとに管理するコンテンツ管理部を備えることを特徴とする情報処理装置。
（３）
（２）記載の情報処理装置において、
前記コンテンツ管理部は、前記記憶部により記録又は前記受信部により受信するコンテンツのライセンスに関する情報を管理することを特徴とする情報処理装置。
（４）
（２）記載の情報処理装置において、
前記制御部は、前記コンテンツ関連情報取得部により取得されたコンテンツ関連情報を
前記コンテンツ管理部により管理されたコンテンツ管理情報に基づいて利用可能なコンテンツの情報を表示するように制御することを特徴とする情報処理装置。
（５）
（１）記載の情報処理装置において、
前記コンテンツ関連情報はコンテンツの所定のシーンを示すシーン情報を含み、
前記シーン情報を含むコンテンツ関連情報を取得可能なコンテンツ関連情報取得部と、
前記シーン単位でのコンテンツ管理が可能なコンテンツ管理部とを備え、
前記制御部は、該コンテンツ関連情報取得部により取得されるシーン単位のコンテンツ関連情報の利用方法を該コンテンツ管理部のもつコンテンツ管理情報に応じて区別して出力するように制御することを特徴とする情報処理装置。
（６）
（１）いずれかに記載の情報処理装置において、
前記コンテンツ関連情報は、前記コンテンツの評価又は推奨に関する情報を含むことを特徴とする情報処理装置。
（７）
（１）いずれかに記載の情報処理装置において、
前記コンテンツ関連情報は、広告情報又は宣伝情報を含むことを特徴とする情報処理装置。
（８）
（１）記載のコンテンツ再生装置において、
前記コンテンツ関連情報はインターネットから取得されることを特徴とするコンテンツ再生装置。
（９）
（２）記載の情報処理装置において、
前記制御部は、前記コンテンツ管理部により管理された前記コンテンツ管理情報と前記コンテンツ関連情報取得部により取得された前記コンテンツ関連情報とに応じて移動、複写又は削除するコンテンツを選択する方法を変えるように制御することを特徴とする情報処理装置。
（１０）
映像又は／及び音声データ及び該映像又は／及び音声データを映像又は／及び音声データ単位ごとに管理するための管理情報を記憶する記憶部と、
映像又は／及び音声データに関する情報を受信する受信部と、
該受信部により受信された該映像又は／及び音声データに関する情報の中から該記憶部により記憶された映像又は／及び音声データに対応した該映像又は／及び音声データに関する情報を抽出する抽出部と、
該抽出部により抽出された該映像又は／及び音声データに関する情報を管理情報に基づいて識別された該映像又は／及び音声データに関する情報に応じて該映像又は／及び音声データに関する情報の再生方法を変えるように制御する制御部を有することを特徴とする情報処理装置。
（１１）
コンテンツを記憶する記憶ステップと、
コンテンツに関する情報を受信する受信ステップと、
該受信ステップにより受信された該コンテンツに関する情報の中から該記憶ステップにより記憶されたコンテンツに対応したコンテンツに関する情報を取得するコンテンツ関連情報取得ステップと、
該コンテンツ関連情報取得ステップにより取得された該コンテンツに関する情報に応じた制御を行う制御ステップとを備えることを特徴とする情報処理方法。
（１２）
（１１）記載の情報処理方法において、
前記記憶ステップにより記憶された前記コンテンツをコンテンツ単位ごとに管理するコンテンツ管理ステップを備えることを特徴とする情報処理装置。
（１３）
（１２）記載の情報処理方法において、
前記コンテンツ管理ステップは、前記記憶部により記録又は前記受信部により受信するコンテンツのライセンスに関する情報を管理することを特徴とする情報処理装置。
（１４）
（１２）記載の情報処理方法において、
前記制御ステップは、前記コンテンツ関連情報取得ステップにより取得されたコンテンツ関連情報を前記コンテンツ管理ステップにより管理されたコンテンツ管理情報に基づいて利用可能なコンテンツの情報を表示するように制御することを特徴とする情報処理方法。
【符号の説明】
【００７１】
１０１  コンテンツ再生装置
１０４  記憶部
１０７  通信部
１０８  コンテンツ制御部
１０９  コンテンツ再生部
１１０  コンテンツ関連情報取得部
１１１  コンテンツ管理部
１１３  放送受信部
【図１】
2010206809.tif 000003
【図２】
2010206809.tif 000004
【図３】
2010206809.tif 000005
【図４】
2010206809.tif 000006
【図５】
2010206809.tif 000007
【図６】
2010206809.tif 000008
【図７】
2010206809.tif 000009
【図８】
2010206809.tif 000010
【図９】
2010206809.tif 000011
【図１０】
2010206809.tif 000012
【図１１】
2010206809.tif 000013
【図１２】
2010206809.tif 000014
【手続補正書】
【提出日】平成22年7月14日(2010.7.14)
【手続補正１】
【補正対象書類名】特許請求の範囲
【補正対象項目名】全文
【補正方法】変更
【補正の内容】
【特許請求の範囲】
【請求項１】
情報処理装置であって、
第１のＩＤ情報と、前記第１のＩＤ情報に対応するコンテンツと、を記憶する記憶部と、
１つ以上のコンテンツの、タイトルと、前記タイトルに対応付けられた第２のＩＤ情報と、を含むコンテンツ関連情報を受信する受信部と、
前記第１のＩＤ情報と前記第２のＩＤ情報とが一致する場合は、前記第２のＩＤ情報を対応付けられた前記タイトルに、前記第１のＩＤ情報に対応する前記記憶部に記憶されたコンテンツの所在を示すリンク情報を付加する制御部と、
を備えることを特徴とする情報処理装置。
【請求項２】
請求項１に記載の情報処理装置であって、
入力を受け付ける入力部と、
前記コンテンツ関連情報を表示し、前記入力部が受け付けた入力により前記リンク情報が付加された前記タイトルが選択された場合に、前記リンク情報が示す所在に記憶されたコンテンツを再生する、コンテンツ再生部と、
を備えることを特徴とする情報処理装置。
【請求項３】
請求項１または請求項２に記載の情報処理装置であって、
コンテンツとは映像又は音声の少なくとも一つであることを特徴とする情報処理装置。
【請求項４】
請求項１から請求項３のいずれか一項に記載の情報処理装置であって、
前記コンテンツ関連情報は、各コンテンツの推奨に関する情報を含むことを特徴とする情報処理装置。
【請求項５】
請求項１から請求項４のいずれか一項に記載の情報処理装置であって、
前記受信部は、前記コンテンツ関連情報をインターネットを介してサーバから受信することを特徴とする情報処理装置。
【請求項６】
請求項１から請求項５のいずれか一項に記載の情報処理装置であって、
前記情報処理装置が備える管理部はコンテンツをそれぞれのコンテンツごとに管理することを特徴とする情報処理装置。
【請求項７】
情報処理方法であって、
第１のＩＤ情報と、前記第１のＩＤ情報に対応するコンテンツと、を記憶し、
１つ以上のコンテンツの、タイトルと、前記タイトルに対応付けられた第２のＩＤ情報と、を含むコンテンツ関連情報を受信し、
前記第１のＩＤ情報と前記第２のＩＤ情報とが一致する場合は、前記第２のＩＤ情報を対応付けられた前記タイトルに、前記第１のＩＤ情報に対応するコンテンツの所在を示すリンク情報を付加する、
ことを特徴とする情報処理方法。
【請求項８】
請求項７に記載の情報処理方法であって、
前記コンテンツ関連情報を表示し、受け付けた入力により前記リンク情報が付加された前記タイトルが選択された場合に、前記リンク情報が示す所在に記憶されたコンテンツを再生する、
ことを特徴とする情報処理方法。
【手続補正２】
【補正対象書類名】明細書
【補正対象項目名】０００９
【補正方法】変更
【補正の内容】
【０００９】
上記課題を解決するために、本発明では、例えば、第１のＩＤ情報と、前記第１のＩＤ情報に対応するコンテンツと、を記憶する記憶部と、１つ以上のコンテンツの、タイトルと、前記タイトルに対応付けられた第２のＩＤ情報と、を含むコンテンツ関連情報を受信する受信部と、前記第１のＩＤ情報と前記第２のＩＤ情報とが一致する場合は、前記第２のＩＤ情報を対応付けられた前記タイトルに、前記第１のＩＤ情報に対応する前記記憶部に記憶されたコンテンツの所在を示すリンク情報を付加する制御部と、を備えるように構成すればよい。